【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
多値の原画像の圧縮処理を行う情報処理装置であって、
前記原画像に対して補間処理を行って高解像度化し、当該高解像度化された画像の２値化処理を行って高解像度２値画像を取得する第１取得手段と、
前記原画像から文字色ごとの文字領域を抽出し、各文字領域の位置情報と文字色情報とを抽出する抽出手段と、
前記高解像度２値画像から前記抽出手段で抽出された複数の文字領域に対応する部分画像を抽出し、該部分画像に対して第１の圧縮処理を行うことにより各文字領域に対応する文字領域圧縮データを生成する第１生成手段と、
前記原画像の中の文字領域を予め定められた画素値で塗りつぶし、当該塗りつぶして得た画像に対して第２の圧縮処理を行うことにより背景圧縮データを生成する第２生成手段と、
前記文字領域圧縮データと前記背景圧縮データと前記各文字領域の位置情報および文字色情報とを用いて、前記原画像の圧縮データを生成する第３生成手段とを備えることを特徴とする情報処理装置。
【請求項２】
前記抽出手段は、前記原画像から抽出された文字領域の画像に対して文字色の減色処理を行い、当該減色処理後の文字色に基づいて、前記複数の文字領域と各文字領域の位置情報と当該減色処理後の文字色情報とを抽出することを特徴とする請求項１に記載の情報処理装置。
【請求項３】
前記第１生成手段は、前記文字色ごとに各文字領域の高解像度２値画像データを生成し、当該生成された文字色ごとの高解像度２値画像それぞれに対して前記第１の圧縮処理を行うことにより、文字色毎の文字領域圧縮データを生成し、
前記第３生成手段では、前記文字色毎の文字領域圧縮データをそれぞれの色情報と対応付けることを特徴とする請求項１に記載の情報処理装置。
【請求項４】
前記抽出手段は、更に、同じ文字色の文字領域を結合した場合としない場合の圧縮後のデータ量を推定し、推定されたデータ量に基づいて前記同じ文字色の文字領域を結合するか否か判断し、結合すると判断した場合には、結合後の文字領域の位置情報と文字色情報とを抽出することを特徴とする請求項３に記載の情報処理装置。
【請求項５】
前記第１生成手段は、前記減色処理後の文字色を対応づけたパレット値と前記高解像度２値画像データとを用いて各文字領域の画像データを生成し、当該生成された画像データに対して圧縮処理を行うことにより、前記文字領域圧縮データを生成し、
前記第３生成手段では、前記文字領域圧縮データと前記背景圧縮データと前記各文字領域の位置情報と前記パレット値の色情報とを用いて、前記原画像の圧縮データを生成することを特徴とする請求項２に記載の情報処理装置。
【請求項６】
前記原画像に対して２値化処理を行って、前記高解像度２値画像よりも低い解像度の低解像度２値画像を取得する第２取得手段を更に有し、
前記第１生成手段は、各文字領域に含まれる文字の大きさに基づいて前記高解像度２値画像を用いるか前記低解像度２値画像を用いるか判断し、前記高解像度２値画像を用いると判断された文字領域に対しては当該文字領域に対応する位置の前記高解像度２値画像に対して圧縮処理を行うことにより当該文字領域の文字領域圧縮データを生成し、一方、前記低解像度２値画像を用いると判断された文字領域に対しては当該文字領域に対応する位置の前記低解像度２値画像に対して圧縮処理を行うことにより当該文字領域の文字領域圧縮データを生成することを特徴とする請求項１に記載の情報処理装置。
【請求項７】
前記第２生成手段は、前記塗りつぶして得た画像を縮小し、当該縮小された画像に対して圧縮処理を行うことにより前記背景圧縮データを生成することを特徴とする請求項１に記載の情報処理装置。
【請求項８】
前記第２生成手段は、前記原画像を縮小し、当該縮小された画像の中の文字領域を予め定められた画素値で塗りつぶし、当該塗りつぶして得た画像に対して圧縮処理を行うことにより前記背景圧縮データを生成することを特徴とする請求項１に記載の情報処理装置。
【請求項９】
多値の原画像の圧縮処理を行う情報処理装置の制御方法であって、
第１取得手段が、前記原画像に対して補間処理を行って高解像度化し、当該高解像度化された画像の２値化処理を行って高解像度２値画像を取得する第１取得工程と、
抽出手段が、前記原画像から文字色ごとの文字領域を抽出し、各文字領域の位置情報と文字色情報とを抽出する抽出工程と、
第１生成手段が、前記高解像度２値画像から前記抽出工程で抽出された複数の文字領域に対応する部分画像を抽出し、該部分画像に対して圧縮処理を行うことにより各文字領域に対応する文字領域圧縮データを生成する第１生成工程と、
第２生成手段が、前記原画像の中の文字領域を予め定められた画素値で塗りつぶし、当該塗りつぶして得た画像に対して圧縮処理を行うことにより背景圧縮データを生成する第２生成工程と、
第３生成手段が、前記文字領域圧縮データと前記第２圧縮データと前記各文字領域の位置情報および色情報とを含む、前記原画像の圧縮データを生成する第３生成工程とを有することを特徴とする情報処理装置の制御方法。
【請求項１０】
請求項９に記載の情報処理方法をコンピュータに実行させるコンピュータプログラムを格納した、コンピュータ可読記憶媒体。
【手続補正２】
【補正対象書類名】明細書
【補正対象項目名】０００６
【補正方法】変更
【補正の内容】
【０００６】
上記の目的を達成するための本発明による情報処理装置は以下の構成を備える。すなわち、
多値の原画像の圧縮処理を行う情報処理装置であって、
前記原画像に対して補間処理を行って高解像度化し、当該高解像度化された画像の２値化処理を行って高解像度２値画像を取得する第１取得手段と、
前記原画像から文字色ごとの文字領域を抽出し、各文字領域の位置情報と文字色情報とを抽出する抽出手段と、
前記高解像度２値画像から前記抽出手段で抽出された複数の文字領域に対応する部分画像を抽出し、該部分画像に対して第１の圧縮処理を行うことにより各文字領域に対応する文字領域圧縮データを生成する第１生成手段と、
前記原画像の中の文字領域を予め定められた画素値で塗りつぶし、当該塗りつぶして得た画像に対して第２の圧縮処理を行うことにより背景圧縮データを生成する第２生成手段と、
前記文字領域圧縮データと前記背景圧縮データと前記各文字領域の位置情報および文字色情報とを用いて、前記原画像の圧縮データを生成する第３生成手段とを備える。
【手続補正３】
【補正対象書類名】明細書
【補正対象項目名】０００７
【補正方法】変更
【補正の内容】
【０００７】
又、上記の目的を達成するための本発明による情報処理装置の制御方法は、
多値の原画像の圧縮処理を行う情報処理装置の制御方法であって、
第１取得手段が、前記原画像に対して補間処理を行って高解像度化し、当該高解像度化された画像の２値化処理を行って高解像度２値画像を取得する第１取得工程と、
抽出手段が、前記原画像から文字色ごとの文字領域を抽出し、各文字領域の位置情報と文字色情報とを抽出する抽出工程と、
第１生成手段が、前記高解像度２値画像から前記抽出工程で抽出された複数の文字領域に対応する部分画像を抽出し、該部分画像に対して圧縮処理を行うことにより各文字領域に対応する文字領域圧縮データを生成する第１生成工程と、
第２生成手段が、前記原画像の中の文字領域を予め定められた画素値で塗りつぶし、当該塗りつぶして得た画像に対して圧縮処理を行うことにより背景圧縮データを生成する第２生成工程と、
第３生成手段が、前記文字領域圧縮データと前記第２圧縮データと前記各文字領域の位置情報および色情報とを含む、前記原画像の圧縮データを生成する第３生成工程とを有する。